(57)【要約】【課題】ファイル検索装置におけるジャケット検索の検索効率を高めること。【解決手段】ファイルに対応する画像を記憶する画像記憶手段としての大容量記憶部２と、この大容量記憶部２に記憶された画像を表示する表示手段としての表示部３と、この表示部３に表示された画像のいずれかが操作部４により選択されたときには、その画像に対応するファイルを選択するファイル選択手段としての制御部５と、を備えたファイル検索装置１において、さらに、画像に含まれる色の情報に基づき画像を所定の位置に配置し、表示部３が表示する色マップ画像を生成する色マップ画像生成手段としてのジャケット色マップ生成処理部１１を有し、操作部４は色マップ画像を任意の方向に操作することによっていずれかの画像を選択する。【選択図】図１
2010020533.tif 000002
【特許請求の範囲】
【請求項１】
ファイルに対応する画像を記憶する画像記憶手段と、この画像記憶手段に記憶された画像を表示する表示手段と、この表示手段に表示された画像のいずれかが操作手段により選択されたときには、その画像に対応するファイルを選択するファイル選択手段と、を備えたファイル検索装置において、
上記画像に含まれる色の情報に基づき上記画像を所定の位置に配置し、上記表示手段が表示する色マップ画像を生成する色マップ画像生成手段を有し、
上記操作手段は、上記色マップ画像を任意の方向に操作することによって上記いずれかの画像を選択する、
ことを特徴とするファイル検索装置。
【請求項２】
前記色マップ画像生成手段は、前記画像に含まれる色の情報に基づき前記画像をいずれかの単一色で分類し、この分類に基づき前記画像を前記色マップ上の所定の位置に配置して前記表示手段により表示する前記色マップ画像を生成することを特徴とする請求項１記載のファイル検索装置。
【請求項３】
前記色マップ画像生成手段は、前記画像をいずれかの単一色に分類した結果が既に分類が完了している他の画像と重複するときには、前記画像の色情報に所定の補正を加えてから再度分類をやり直すことを特徴とする請求項２記載のファイル検索装置。
【請求項４】
前記表示手段は、前記色マップ画像の一部または全部を表示する際に、指定された色に該当する前記画像を表示画面の中心に表示することを特徴とする請求項１、２または３記載のファイル検索装置。
【請求項５】
前記ファイルは、音楽ファイルであり、前記画像は、この音楽ファイルに対応するアルバムのジャケット画像である請求項１から４のいずれか１項記載のファイル検索装置。
【請求項６】
請求項１から５のいずれか１項記載のファイル検索装置を備えることを特徴とする音楽再生装置。
【請求項７】
ファイルに対応する画像を記憶するステップと、この記憶するステップの処理により記憶された画像を表示するステップと、この表示するステップの処理により表示された画像のいずれかが操作ステップの処理により選択されたときには、その画像に対応するファイルを選択するファイル選択ステップとを有するファイル検索方法において、
上記画像に含まれる色の情報に基づき上記画像を所定の位置に配置し、上記表示するステップの処理により表示する色マップ画像を生成する色マップ画像生成ステップを有し、
上記操作ステップの処理により上記色マップ画像を任意の方向に操作することによって上記いずれかの画像を選択する、
ことを特徴とするファイル検索方法。
【請求項８】
情報処理装置にインストールすることにより、その情報処理装置に、ファイルに対応する画像を記憶する画像記憶機能と、この画像記憶機能に記憶された画像を表示する表示機能と、この表示機能に表示された画像のいずれかが操作機能により選択されたときには、その画像に対応するファイルを選択するファイル選択機能と、を備えるファイル検索装置としての機能を実現するプログラムにおいて、
上記画像に含まれる色の情報に基づき上記画像を所定の位置に配置し、上記表示機能が表示する色マップ画像を生成する色マップ画像生成機能を実現し、
上記操作機能として、上記色マップ画像を任意の方向に操作することによって上記いずれかの画像を選択する機能を実現する、
ことを特徴とするプログラム。
【発明の詳細な説明】
【技術分野】
【０００１】
本発明は、ファイル検索装置、ファイル検索方法および音楽再生装置ならびにプログラムに関する。
【背景技術】
【０００２】
大容量メモリやＨＤＤ(Hard Disk Drive)など大容量記憶装置を使ったディジタルオーディオプレーヤシステムが普及している。このようなシステムの大容量記憶装置部に大量に存在する音楽ファイルを再生する際の検索手段として音楽ファイルが持つタグ情報（アーティスト情報、アルバム情報、ジャンル情報、ジャケット情報、年情報など）を利用することができる。例えば、タグ情報に基づき構築されたデータベースを用いてアーティスト名やアルバム名という分類から目的の音楽ファイルを検索する。
【０００３】
図１１にジャケット表示付きアルバムリスト検索の表示例を示す。図１１（Ａ）に示すように、ディジタルオーディオプレイヤの検索表示画面５１に、アルバム情報にリンクしたジャケット表示５２が画面サイズおよび各アルバムリスト５３の行数に応じたジャケットサイズで並べられる。ユーザは、そのリストから所望のアルバムを選択して確定する。確定後に、図１１（Ｂ）に示す再生表示画面６１に遷移する。図１１（Ｂ）に示す再生表示画面６１では、アーティスト名、アルバム名、トラック名などといった必要タグ情報表示と共に、ジャケット表示５２と同一内容となるジャケット写真６２を許される限りの大きさで表示させる。これにより、ジャケット写真６２の視認性を良くしてユーザの満足度を得ている（例えば、特許文献１参照）。
【０００４】
また、近年、アルバムリスト検索の代わりにジャケット検索といったアルバムのジャケット画像による検索機能を搭載した装置が登場している（例えば、特許文献２または特許文献３参照）。図１２の例は検索表示画面７１の画面サイズに、タイル調に敷き詰められたジャケット写真となるジャケット画像７２を示す図である。ジャケット検索では、ジャケット画像７２のデザイン内容による検索が目的である。このため、ジャケット画像７２のサイズは、それぞれのジャケット画像７２の視認性と使用する画面サイズとのバランスによって決まった固定のサイズとしている。例えば、十字キーなどによって所望のジャケット画像７２にカーソルを合わせて選曲する。画面サイズが一括表示数を超えた場合は、上下方向や左右方向にスクロール（ページ送り）させている。図１２（Ａ）の例は、検索表示画面７１が縦長の画面サイズとされた中に配置されるジャケット画像７２を上下方向にスクロールする例である。また、図１２（Ｂ）の例は、横長画面にされた検索表示画面８１に表示されたジャケット画像７２を左右方向にスクロールする例である。その他、ジャケット画像７２をめくるような（パラパラと本をめくるような）立体的な動作から所望のジャケット画像７２を選曲できるものがある。このように、近年、ディジタルオーディオプレイヤにおいてジャケット画像７２を積極的に利用する機器が増加し、ユーザの注目度も上がっている。
【特許文献１】特開２００８−０７１１１７
【特許文献２】特開２００１−３４４８７６
【特許文献３】特開２００６−０１８７９４
【発明の開示】
【発明が解決しようとする課題】
【０００５】
上述のジャケット検索では、ジャケット画像７２は、ジャケットデザイン内容の視認性と画面一括表示数とによって決まった画像サイズとなる。このため、一括表示数を超えた大量のジャケット画像７２のデータがプレイヤに登録されるとスクロールやページ送りを行う回数が増える。
【０００６】
さらに、ジャケット画像７２の並び順は、アルバム名やファイル転送順であり、ジャケットデザインには関係の無い並び順である。よって、ユーザが所望のアルバムを検索する際には、どのくらいページを送ればよいのかをユーザが推測することが困難になる。カーソルを合わせたジャケット画像７２については画面にアルバム名が表示されるようになっているものもある。しかし、ユーザがアルバムリスト検索ではなく、ジャケット検索を選択する背景には、ユーザがアルバム名を失念しており、ジャケット画像７２のイメージのみしか記憶していないという状況がある。よって、そのような場合には、アルバム名が表示されても検索にとってはほとんど意味がない。
【０００７】
したがって、現状のジャケット検索は、アルバムリスト検索に比べて検索効率は低いと言わざるを得ない。よって、ユーザがアルバム名を失念した場合には、所望のアルバムを検索するのに時間がかかってしまう。
【０００８】
また、ジャケット検索を行うためには、ある程度大きな画面サイズの採用が必要になる。これにより装置サイズおよび装置コストを低く抑えることが困難になる。また、ジャケット画像７２の視認性と画面一括表示数とのバランスを取った画像サイズであっても、ジャケットデザインによっては視認し難いものも存在する。このようなことから、ジャケット画像７２の画像サイズをユーザの満足度を得られる画像サイズに設定することは難しい。また、ジャケット画像７２の画像サイズを十分に大きな画像サイズとした場合には、一括表示数が減る。この場合、スクロール速度を従来のままとすると、検索時間が増加してしまう。一方、スクロール速度を高速化すると検索漏れが生じる確率が増加する。
【０００９】
本発明は、このような背景の下に行われたものであって、ジャケット検索における検索効率を高めることができるファイル検索装置、ファイル検索方法および音楽再生装置ならびにプログラムを提供することを目的とする。
【課題を解決するための手段】
【００１０】
本発明のファイル検索装置は、ファイルに対応する画像を記憶する画像記憶手段と、この画像記憶手段に記憶された画像を表示する表示手段と、この表示手段に表示された画像のいずれかが操作手段により選択されたときには、その画像に対応するファイルを選択するファイル選択手段と、を備えたファイル検索装置において、画像に含まれる色の情報に基づき画像を所定の位置に配置し、表示手段が表示する色マップ画像を生成する色マップ画像生成手段を有し、操作手段は、色マップ画像を任意の方向に操作することによっていずれかの画像を選択する、ことを特徴とする。
【００１１】
例えば、色マップ画像生成手段は、画像に含まれる色の情報に基づき画像をいずれかの単一色で分類し、この分類に基づき画像を色マップ上の所定の位置に配置して表示手段により表示する色マップ画像を生成する。
【００１２】
さらに、色マップ画像生成手段は、画像をいずれかの単一色に分類した結果が既に分類が完了している他の画像と重複するときには、画像の色情報に所定の補正を加えてから再度分類をやり直すことができる。
【００１３】
また、表示手段は、色マップの一部または全部を表示する際に、指定された色に該当する画像を表示画面の中心に表示することができる。
【００１４】
例えば、ファイルは、音楽ファイルであり、画像は、この音楽ファイルに対応するアルバムのジャケット画像である。
【００１５】
また、本発明を音楽再生装置としての観点から観ることもできる。すなわち、本発明の音楽再生装置は、本発明のファイル検索装置を備えることを特徴とする。
【００１６】
また、本発明をファイル検索方法としての観点から観ることもできる。すなわち、本発明のファイル検索方法は、ファイルに対応する画像を記憶するステップと、この記憶するステップの処理により記憶された画像を表示するステップと、この表示するステップの処理により表示された画像のいずれかが操作ステップの処理により選択されたときには、その画像に対応するファイルを選択するファイル選択ステップとを有するファイル検索方法において、画像に含まれる色の情報に基づき画像を所定の位置に配置し、表示するステップの処理により表示する色マップ画像を生成する色マップ画像生成ステップを有し、操作ステップの処理により色マップ画像を任意の方向に操作することによっていずれかの画像を選択する、ことを特徴とする。
【００１７】
また、本発明をプログラムとしての観点から観ることもできる。すなわち、本発明のプログラムは、情報処理装置にインストールすることにより、その情報処理装置に、ファイルに対応する画像を記憶する画像記憶機能と、この画像記憶機能に記憶された画像を表示する表示機能と、この表示機能に表示された画像のいずれかが操作機能により選択されたときには、その画像に対応するファイルを選択するファイル選択機能と、を備えるファイル検索装置としての機能を実現するプログラムにおいて、画像に含まれる色の情報に基づき画像を所定の位置に配置し、表示機能が表示する色マップ画像を生成する色マップ画像生成機能を実現し、操作機能として、色マップ画像を任意の方向に操作することによっていずれかの画像を選択する機能を実現する、ことを特徴とする。
【発明の効果】
【００１８】
本発明によれば、ジャケット検索の検索効率を高めることができる。
【発明を実施するための最良の形態】
【００１９】
本発明の実施の形態に係るファイル検索装置１の構成を図１を参照して説明する。図１は、ファイル検索装置１のブロック構成図である。以下では、ファイルは、音楽ファイルであり、画像は、この音楽ファイルに対応するアルバムのジャケット画像であるとして説明する。これは説明を分り易くするためであり、ファイル検索装置１の適用範囲を音楽ファイルの検索に限定するものではない。
【００２０】
ファイル検索装置１は、音楽ファイルに対応するジャケット画像２１（図２、図３など参照：背景技術で説明したジャケット画像７２に相当するもの）を記憶する画像記憶手段としての大容量記憶装置２を備える。大容量記憶装置２には、音楽ファイルおよびこの音楽ファイルに対応するジャケット画像２１が格納される。その他には、後述する色−座標変換テーブル、ジャケット色マップＤＢ（データベース）などが格納される。さらに、大容量記憶装置２に記憶されたジャケット画像２１を表示する表示手段としての表示部３を備える。さらに、表示部３に表示されたジャケット画像２１のいずれかが操作部４からの操作により選択されたときには、そのジャケット画像２１に対応する音楽ファイルを選択するファイル選択手段としての制御部５を備える。また、ヘッドホンやスピーカを接続するための増幅器を有する出力部６を備える。これにより、ファイル検索装置１は、音楽再生装置としての機能を有する。
【００２１】
これらの各部の動作は、制御部５により制御される。なお、制御部５は、ＣＰＵ(Central Processing Unit)などより実現する。また、表示部３は、有機ＥＬ(organic Electro Luminescence)ディスプレイやＬＣＤ(Liquid Crystal Display)などにより実現する。さらに、ファイル検索装置１は、画像メモリとしての一時記憶部７と、制御部５にクロック信号を供給するクロック部８と、を備える。また、制御部５は、画像処理を行う処理部としての画像処理部９を有する。
【００２２】
一時記憶部７は、音楽データや画像データのバッファメモリとして動作する。画像処理部９は、処理を施すジャケット画像２１を大容量記憶装置２から一時記憶部７に移動する。その後、画像処理部９は、一時記憶部７内のジャケット画像２１に処理を施す。さらに、画像処理部９は、処理を施したジャケット画像２１を一時記憶部７から大容量記憶装置２に戻す。すなわち、制御部５および制御部５の画像処理部９は、大容量記憶装置２に格納されている音楽ファイルおよびこの音楽ファイルに対応するジャケット画像２１、色−座標変換テーブル、ジャケット色マップＤＢを呼び出して画像処理や表示コントロールを行う。これにより、制御部５は、表示部３にデータを表示したり、音楽ファイルのデコード処理を行い出力部６に音楽信号を出力している。クロック部８は各機能動作において同期をかけるリファレンスである。操作部４は、所望の機能をユーザが操作するスイッチデバイスで構成されている。
【００２３】
画像処理部９は、ジャケット画像２１に含まれる色の情報に基づきジャケット画像２１をいずれかの単一色に分類する手段としての分類処理部１０を備える。さらに、画像処理部９は、分類処理部１０による分類に基づきジャケット画像２１を色マップ上の所定の位置に配置し、表示部３が表示する色マップ画像を生成する色マップ画像生成手段としてのジャケット色マップ生成処理部１１を備える。
【００２４】
次に、ファイル検索装置１の動作を説明する。図２および図３にジャケット色マップの２つの例を示す。ジャケット色マップでは、床一面（マップ）に複数のジャケット画像２１が縦横に敷き詰められるようなジャケット色マップが作成される。また、図２および図３の各Ｘ−Ｙ軸のジャケット数は任意の数で設定可能である。図４は、表示部３における表示エリアを説明する図である。画像処理部９により設定された表示エリアがこのマップ上を移動したり、表示エリアの拡大または縮小が可能である。図４の例では、縦横共に３個のジャケット画像２１が常に完全に表示される例（３×３）と、縦７個、横５個のジャケット画像２１が常に完全に表示される例（５×７）とを示す。なお、図４の表示エリアの画面には、隣接する不完全な状態（１つのジャケット画像２１の一部のみが表示される状態）のジャケット画像２１が表示されてはいない。しかしながら、それらの不完全なジャケット画像２１が表示されるようにしてもよい。
【００２５】
図２の例は、ジャケット色マップ化されたジャケット画像２１の位置を赤緑青の基本３原色の配合度によって決めている。また、図３の例は、横軸を光の波長順とした壁に、縦軸方向にジャケット画像２１を積み上げていくような配置（分布）例である。その他にも色温度図や寒色系／暖色系といったような並べ方もできる。いずれの例でも図４に示す表示エリア内には、近似する色のジャケット画像２１が多数表示されることになる。よって、ユーザが指定した色が、ユーザが所望するジャケット画像２１の色と多少異なっていたとしてもユーザが所望するジャケット画像２１を表示エリア内で発見できる確率を高くすることができる。
【００２６】
図５に、図２の例の場合のジャケット色マップＤＢの構築フローを示す。また、色−座標変換テーブルの例を図６に示す。色−座標変換テーブルは、赤（Ｒ）、緑（Ｇ）、青（Ｂ）の配色の割合（％）を記録する欄と、この欄に対応付けられたジャケット色マップ上の座標（ＭＡＰ座標：（Ｘ，Ｙ））を記録する欄とで構成される。例えば、図２において左下のＭＡＰ座標は（１，１）になる。また、このときの配色はＲ：Ｇ：Ｂ＝１００：０：０になる。同様に、図２において右上のＭＡＰ座標は（Ｘｍａｘ，Ｙｍａｘ）になる。図２に示す実施の形態では、右上のＭＡＰ座標は、（２７，１７）としている。また、このときの配色はＲ：Ｇ：Ｂ＝０：１００：１００になる。また、ジャケット色マップＤＢの例を図７に示す。図７に示すジャケット色マップＤＢは、図６の色−座標変換テーブルにタグ情報であるアルバム名を記録する欄が対応付けられて追加された構成である。すなわち、図２に示すジャケット色マップの各座標に対応してアルバム名が記録されている。
【００２７】
図５のフローに示すように、大容量記憶装置２は、音楽ファイルにリンクしたジャケット画像２１を取り込む（ステップＳ１）。画像処理部９の分類処理部１０は、ジャケット画像２１のデータをある単一色データに変換する画像処理を行う（ステップＳ２）。画像処理の例としては、ジャケット画像２１の画像圧縮やスケール変換により、扱い易い画像に変換した後、各ドットの赤緑青データの統計を取り、単一の赤緑青配色を決める。統計としては最大占有色を取る方法、あるいは、全ドットの色を混合して取る方法などを採用する。例えば、白黒写真を用いたジャケット画像２１の場合には、最大占有色を用いると、各ジャケット画像２１が白または黒のいずれか一方に分類されてしまう。このような場合には、全ドットの色を混合することにより、灰色の濃淡によって各ジャケット画像を細かく分類することができる。なお、色の分類の方法については、その他にも様々な分類方法を適用してよい。
【００２８】
画像処理部９のジャケット色マップ生成処理部１１は、分類処理部１０により分類されたジャケット画像２１の単一色データに基づき予め設定された色−座標変換テーブル（図６参照）を一時記憶部７に呼出して引当を行う（ステップＳ３）。これにより、図７に示すように、アルバム名、ジャケット単一色データとしての配色、ＭＡＰ座標が対応付けられたジャケット色マップＤＢが構築される。このときに、既に、ジャケット色マップＤＢに全く同一色のデータが存在する場合は（ステップＳ４のＮｏ）、ジャケット色マップ生成処理部１１は、ジャケット画像２１の色データを補正するルーチンに入る（ステップＳ６）。これにより、ジャケット色マップ生成処理部１１は、色データが補正されたジャケット画像２１に対し、再度、色−座標変換テーブルを引当てることで、ジャケット色マップＤＢ上に同一座標のデータが無いようにしている。このジャケット色マップＤＢを用いて図２または図３の例のようなマップを構成している。
【００２９】
ジャケット色マップは、図２や図３に示すように、縦横にジャケット画像２１が隙間無く敷き詰められたものである。このため、ジャケット画像２１が例えば３つのときは横１列または縦１列に並べた配置とする。例えば、ジャケット画像２１が２１個のような場合、横に５個、縦に４個を並べた２０個のジャケット画像２１のマップの右上の隣に１つを並べた配置とする。この配置は他のものを採用できるが、ジャケット色マップの中には空きが無いようにすることが好ましい。例えば、ＭＡＰ座標の（Ｘｍａｘ，Ｙｍａｘ）は、ジャケット画像２１が増加するに従い、ｍａｘの数値が順次増加するように図６の色−座標変換テーブルを形成するようにする。
【００３０】
ここで、ステップＳ６の色データ補正の具体例を説明する。色データを補正しても、ユーザがイメージしているジャケット画像２１の色を損なわないことが好ましい。よって、補正は必要最小であることがよい。図８は、ジャケット色マップ生成処理部１１が行う色補正手順を示すフローチャートである。
【００３１】
ジャケット色マップ生成処理部１１は、分類処理部１０により分類されたジャケット画像２１の色が既に分類が完了している他のジャケット画像２１の色と重複するときには、本来の色に赤の色を１％増加し、緑の色を１％減少させる第１の色調整を行う（ステップＳ１０）。なお、赤の色が１０％であるときは赤の色を１％減少し、緑の色を１％増加させる。この色の増加、減少は、赤と緑ではなく、赤と青としたり、青と緑としたり、赤青緑としたりしてもよい。減少、増加の量を１％ではなく、２％としたり、０．５％としたりなど他の値としてもよい。ジャケット色マップＤＢに同一色のデータが無ければ（ステップＳ１１のＮｏ）、ジャケット色マップ生成処理部１１は、ジャケット画像２１を新たなデータとしてジャケット色マップＤＢに配置する（ステップＳ１７）。ジャケット色マップ生成処理部１１は、ステップＳ１１で同一データがあると判断すると（ステップＳ１１のＹｅｓ）、ジャケット色マップ生成処理部１１は、第１の色調整と同様な第２の色調整を行う（ステップＳ１２）。そして、ジャケット色マップ生成処理部１１は、第２の色調整で補正された色データと同一の色データがジャケット色マップＤＢに存在するか否かを判断し（ステップＳ１３）、同一データが無ければ（ステップＳ１３のＮｏ）、ジャケット色マップ生成処理部１１は、ジャケット画像２１を新たなデータとしてジャケット色マップＤＢに配置する（ステップＳ１７）。
【００３２】
このようにして、ジャケット色マップ生成処理部１１は、同一色のデータが存在する限り、Ｎ回分の色調整をし、本来の色から可能な限り近い色のデータに調整する（ステップＳ１４）。そして、同一色のデータが無ければ（ステップＳ１５のＮｏ）、ジャケット画像２１をジャケット色マップＤＢに配置する（ステップＳ１７）。もし、ステップＳ１５において同一色のデータが存在する場合には（ステップＳ１５のＹｅｓ）、ジャケット色マップ生成処理部１１は、最初の同一色データの隣にジャケット画像２１を配置する（ステップＳ１６）。このジャケット画像２１は、色データが同じものが存在することとなるが、ＭＡＰ座標は同一のものに対しＸ値またはＹ値が１つプラスしたものとなる。そして、この２つのデータは紐付けられ、この２つのデータの間に他のジャケット画像２１が入り込むことが無いようにされる。
【００３３】
この隣接する位置への配置は、ステップＳ１１でＹｅｓのときに行うようにしたり、ステップＳ１３でＹｅｓのときに行うようにしてもよい。すなわち、Ｎ回の「Ｎ」は１以上の数字を適宜採用できる。また、第Ｎの色調整の後の色と同一データが存在している場合、最初の色データに隣接する位置に配置せず、ステップＳ１５で比較した色データに隣接させるようにしてもよい。
【００３４】
さらには、予め用意しておいた予備位置に第Ｎの色調整後の色データを配置してもよい。この予備位置は、図２または図３のジャケット色マップとは異なる別の位置に設けることが好ましい。このとき制御部５は、ジャケット色マップ上に配置されず、予備位置に配置されたジャケット画像２１が有ることをユーザに対して知らせるための表示を表示部３に行ってもよい。ユーザは、この表示を見ることにより、検索の最初にまず予備位置を確認してみるなどの処置を行うことができる。なお、予備位置に配置されたジャケット画像２１については、ジャケット色マップ上の同一の色データが削除されたときに、ジャケット色マップ生成処理部１１は、予備位置にあるジャケット画像２１を削除された色データの位置に再配置するようにしてもよい。
【００３５】
また、ステップＳ１４のＮの値には上限を設けることが好ましい。その理由は、Ｎの値が大きくなればなるほど、ジャケット画像２１の本来の色からは離れた色になってしまう。これでは、ユーザがイメージしているジャケット画像２１の色とは異なる色となるためである。このように、ユーザが思ってもいない色位置にジャケット画像２１が配置されることは回避しなければならない。そこで、Ｎの上限値を例えば４〜６程度に設定し、Ｎの値が上限を超えたら隣接位置または予備位置に配置する。これにより、ユーザがイメージする色とは異なる色位置にジャケット画像２１が配置されることを回避することができる。
【００３６】
制御部５は、表示部３によりこのマップの全表示を可能とする。基本は、図４に示すように、制御部５は、選択しているジャケット画像２１が表示部３の表示画面上の中心に位置し、任意の画面一括表示数に拡大または縮小可能としている。図９および図１０にジャケット色マップの応用例としてジャケット色検索動作例を示す。図９（Ａ）では、画面一括表示数を３５（５×７）枚として、複数のジャケット画像２１の中からＡ色のジャケット画像２１ａが選択されている。図９（Ｂ）では、図９（Ａ）の状態からメニューキーを押してポップアップ画面上でＢ色を入力して決定する。その後、図９（Ｃ）に示すようにＢ色のジャケット画像２１ｂを中心とした位置に移動する。このときに、図１０に示すように、ジャケット色マップ上での表示エリアの移動が行われる。このようにして、ユーザのジャケットデザインの記憶が曖昧な場合において全体的な色の雰囲気での検索に有効である。また、拡大または縮小表示が可能な場合には、視認性が厳しい任意のジャケットサイズにて、単一色にジャケット表示を切り替えることも可能とする。
【００３７】
さらに、ジャケット色マップからのジャケット画像選択例として、表示部３に表示されたジャケット色マップを、操作部４を用いて任意の方向に移動させることにより、表示部３の中心に位置するジャケット写真を選択対象とすることもできる。操作部としては、ジャケット色マップを任意の方向に移動させることができるジョグボールなどの操作デバイスを用いることができる。
【００３８】
操作デバイスとしてのジョグボールは、任意の方向に対して任意の速度を持った移動を指示することができるため、その指示により表示部３に表示されているジャケット色マップを任意の方向に任意の速度で移動させることができる。
【００３９】
（本発明の実施の形態による効果）
タイル調に敷き詰めたジャケット画像２１に対し、色による規則性を持たせている。これにより、ジャケット画像２１の色のイメージから所望のアルバムが検索可能となる。よって、ジャケット画像２１の並び（敷き詰め）順が色という規則的になることで所望するジャケット画像２１の検索効率が高まる。これにより、ジャケット画像２１の視認性が良好でない場合でも、ジャケット画像２１の色によりユーザは、だいたいのジャケット検索の目安を得ることができる。よって、視認性がさほど高くなくてもユーザの満足度を得ることができる。したがって、画面サイズを大きくして視認性を高める必要性が低くなり、装置サイズおよび装置コストを低く抑えることができる。また、ジャケット画像２１を大きな画像サイズとした場合に一括表示数が減ることによるスクロール速度の高速化についても回避できる。
【００４０】
さらに、ジャケット色検索という新しい曖昧検索が可能となる。また、ジャケット画像２１が規則的な色で敷き詰められるため、表示デザインのエンターテナー性が高まる。また、アーティスト、アルバム、ジャンルといったタグ情報のソート順には全く関係無い並び方になるため、ランダムな順での再生が楽しめる。さらに、ジャケット色でのランダム演奏など、新しい音楽の楽しみ方を提案できる。
【００４１】
さらにジャケット色に合わせて敷き詰められたジャケット写真を任意の方向に移動させることにより選択できるため、色のイメージに合ったジャケットを迅速に選択することができる。
【００４２】
（プログラムの実施例）
情報処理装置にインストールすることにより、その情報処理装置に、本発明の実施の形態のファイル検索装置１における制御部５の機能を実現するプログラムの実施例を説明する。ここで、情報処理装置とは、例えば、ＣＰＵである。
【００４３】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接、情報処理装置に本実施例のプログラムをインストールすることもできる。
【００４４】
これにより、情報処理装置を用いて、本発明の実施の形態のファイル検索装置１における画像処理部９を含む制御部５の機能を実現することができる。なお、これ以外の機能についてもソフトウェアによって実現可能な機能については、本実施例のプログラムによって実現してもよい。
【００４５】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００４６】
（その他の実施の形態）
本発明の実施の形態は、本発明の要旨を逸脱しない限り、様々に変更が可能である。例えば、ファイル検索装置１は、音楽ファイルの検索装置として説明したが、小説、辞典、辞書などのテキストファイルの検索装置であってもよい。この場合には、ジャケット画像２１に代えて、小説、辞典、辞書などの写真または表紙画像が表示される。
【００４７】
また、図３に示す同一色ジャケットが積み重ねられる例の場合、図５に示すフローの中のステップＳ４、Ｓ６が不要となる。また、図３の例の場合には、色−座標変換テーブルは、配色の項目に光の波長が入り、あるＸ値についてはＹ値が大きく、あるＸ値についてはＹ値が小さいというようなデータベースとなる。そのため、高さの違う棒グラフが並べられた形状となり、図４に示す表示エリアを設定した場合、空きの位置が生ずることとなる。
【００４８】
なお、上述した図２のジャケット色マップの例では、空きの位置を生じさせない例を説明した。すなわち、上述した実施の形態では常にジャケット画像２１を隙間無く配置した。しかしながら、図２に示すジャケット色マップの例においても空きの位置が生じることを許容して表示を行ってもよい。例えば、配色と座標との関係を固定させる。これにより新たに生成されるジャケット画像２１を図２に示すような空間位置に割当てるように位置決めさせることで割り振る。すなわち、図２に示すものは、ジャケット画像２１の割当て空間と考えることで、割当てられて配置されたジャケット画像２１が存在する部分以外は空きの位置とする。このようにして、図２に示すジャケット色マップの例においても、空きの位置の存在を許容した表示形態とすることができる。
【００４９】
また、ジャケット色マップは、明暗度によって並べたり、好みの色順に並べたり操作者の好みの色マップとしてもよい。
【００５０】
また、大容量記憶装置２は、外付けの外部装置としてもよい。あるいは、大容量記憶装置２は、サーバなどに配置し、通信回線によってファイル検索装置１と接続されるようにしてもよい。また、ファイル検索装置１は、単独の装置ではなく、携帯電話端末などに組み込まれてもよい。
【図面の簡単な説明】
【００５１】
【図１】本発明の実施の形態に係るファイル検索装置のブロック構成図である。
【図２】図１に示すファイル検索装置における赤・緑・青の配合度に基づくジャケット色マップの例を示す図である。
【図３】図１に示すファイル検索装置における光波長および同一色ジャケット数に基づくジャケット色マップの例を示す図である。
【図４】図１に示すファイル検索装置における表示エリアの例を示す図である。
【図５】図１に示すファイル検索装置における画像処理部の動作を示すフローチャートである。
【図６】図１に示すファイル検索装置における色−座標変換テーブルの例を示す図である。
【図７】図１に示すファイル検索装置におけるジャケット色マップＤＢの例を示す図である。
【図８】図１に示すファイル検索装置のジャケット色マップ生成処理部における色補正手順を示すフローチャートである。
【図９】図１に示すファイル検索装置における色指定と表示エリアの遷移とを示す図である。
【図１０】図９に示す表示エリアの遷移に伴うジャケット色マップ上の領域の遷移を示す図である。
【図１１】従来のジャケット表示付きアルバムリスト検索の表示例を示す図である。
【図１２】従来のジャケット検索の表示例を示す図である。
【符号の説明】
【００５２】
１  ファイル検索装置、２  大容量記憶装置（画像記憶手段）、３  表示部（表示手段）、４  操作部、５  制御部（ファイル選択手段）、６  出力部、７  一時記憶部、８  クロック部、９  画像処理部（分類する手段、色マップ生成手段）、１０  分類処理部（分類する手段）、１１  ジャケット色マップ生成処理部（色マップ生成手段）、２１、２１ａ、２１ｂ、７２  ジャケット画像、５１、７１、８１  検索表示画面、５２  ジャケット表示、５３  アルバムリスト、６１  再生表示画面、６２  ジャケット写真
【図１】
2010020533.tif 000003
【図２】
2010020533.tif 000004
【図３】
2010020533.tif 000005
【図４】
2010020533.tif 000006
【図５】
2010020533.tif 000007
【図６】
2010020533.tif 000008
【図７】
2010020533.tif 000009
【図８】
2010020533.tif 000010
【図９】
2010020533.tif 000011
【図１０】
2010020533.tif 000012
【図１１】
2010020533.tif 000013
【図１２】
2010020533.tif 000014